(57)【要約】      （修正有）【課題】ズボンに使用する、構造が簡単な縦型ベルトを提供する。【解決手段】ズボンの股部の上方の任意位置に縦方向規制装置が設けられ、該縦方向規制装置は帯を含み、該帯の両端がそれぞれズボンの前側と後側に固定されている縦型ベルトである。前側の縦型ベルトは、左紐および右紐を含み、前側の縦型ベルトの左紐および右紐の上端面が、それぞれズボンの前側のウエストラインに固定されている。後側の縦型ベルトは、左紐および右紐を含み、後側の縦型ベルトの左紐および右紐の上端面が、それぞれズボンの後側のウエストラインに固定されている。前側の縦型ベルトの左紐および右紐と、後側の縦型ベルトの左紐および右紐とは、それぞれズボンの股部の下端位置で接続されている。【選択図】図１
0003225007.tif 000002
【実用新案登録請求の範囲】
【請求項１】
ズボンの股部の上方の任意位置に縦方向規制装置を含み、
該縦方向規制装置は、帯を含み、
該帯の両端は、それぞれ前記ズボンの前側と後側に固定されていることを特徴とする縦型ベルト。
【請求項２】
前記前側の縦型ベルトの前記帯は、左紐および右紐を含み、
前記前側の縦型ベルトの前記帯の前記左紐および前記右紐の上端面が、それぞれ前記ズボンの前記前側のウエストラインに固定されており、
前記後側の縦型ベルトの前記帯は、左紐および右紐を含み、
前記後側の縦型ベルトの前記帯の前記左紐および前記右紐の上端面が、それぞれ前記ズボンの前記後側のウエストラインに固定されており、
前記前側の縦型ベルトの前記帯の前記左紐および前記右紐と、前記後側の縦型ベルトの前記帯の前記左紐および前記右紐とは、それぞれ前記ズボンの前記股部の下端位置で接続されていることを特徴とする請求項１に記載の縦型ベルト。
【請求項３】
前記前側の縦型ベルトの前記帯は、左紐および右紐を含み、
前記前側の縦型ベルトの前記帯の前記左紐および前記右紐の上端面が、それぞれ前記ズボンの前記前側のウエストラインに固定されており、
前記左紐と前記右紐との間に接続紐が設けられており、
前記後側の縦型ベルトの前記帯は、前記ズボンの前記ウエストラインの位置に固定されており、
前記左紐および前記右紐と、後側の縦型ベルトの前記帯との間は、それぞれ前記ズボンの前記股部の下端位置で接続されていることを特徴とする請求項１に記載の縦型ベルト。
【請求項４】
前記前側の縦型ベルトの前記帯および前記後側の縦型ベルトの前記帯は、１本のファスナーであり、
前記前側の縦型ベルトの前記帯は、前記ズボンの前記前側のウエストラインに固定されており、
前記後側の縦型ベルトの前記帯の左側ファスナーは、前記ズボンの後側右端の前記ウエストラインに固定されており、
前記後側の縦型ベルトの前記帯の右側ファスナーは、前記ズボンの後側左端の前記ウエストラインに固定されていることを特徴とする請求項１に記載の縦型ベルト。
【請求項５】
前記前側の縦型ベルトの前記帯は、前記ズボンの前記前側のウエストラインに固定されており、
前記後側の縦型ベルトの前記帯は、前記ズボンの前記後側のウエストラインに固定されており、
前記前側の縦型ベルトの前記帯と、前記後側の縦型ベルトの前記帯との間は、それぞれ前記ズボンの前記股部の下端位置で接続されており、
前記前側の縦型ベルトの前記帯と、前記後側の縦型ベルトの前記帯との間は、接続機構によって接続されており、
前記接続機構は、ボタン、マジックテープ（登録商標）、ファスナーを含むことを特徴とする請求項１に記載の縦型ベルト。
【請求項６】
前記前側の縦型ベルトの前記帯は、左紐および右紐に分けられ、
前記左紐および前記右紐の上端面が、それぞれ前記ズボンの前記前側のウエストラインに固定されており、
前記後側の縦型ベルトの前記帯は、前記ズボンの前記後側のウエストラインに固定されており、
前記左紐および右紐と、前記後側の縦型ベルトの前記帯との間は、それぞれ前記ズボンの前記股部の下端位置で接続されていることを特徴とする請求項１に記載の縦型ベルト。
【請求項７】
前記前側の縦型ベルトの前記帯は、前記ズボンの前記股部の位置に固定されており、
前記後側の縦型ベルトの前記帯は、前記ズボンのウエストラインの位置に固定されており、
前記前側の縦型ベルトの前記帯と、後側の縦型ベルトの前記帯との間は、前記ズボンの前記股部の下端位置で接続されていることを特徴とする請求項１に記載の縦型ベルト。
【考案の詳細な説明】
【技術分野】
【０００１】
本考案は、縦方向規制装置に関し、特にボトムズにおいて使用する縦型ベルトに関する。
【背景技術】
【０００２】
ズボンは、人の下半身に装着する主要な服飾であり、現代に至るまで変化し続け、現在よく見られるズボンスタイルが形成された。
【０００３】
しかしながら明らかなように、一般的な状況下のズボンは基本的に全て工業製品であり、パターンの過程においては全て標準データベースのデータを用いて関連するプロセス操作を行う。しかし、個々の消費者の身体比率は全く異なる。このような状況で、大量生産された製品は、幅広く使用される際に、着心地が快適でなく、見栄えがよくないなどのような現象の出現が避けられない。
【０００４】
現在のズボンには、一般的に横方向の調節装置が設けられている。特に、特殊な業種のズボンは、例えばズボンのウエストラインの位置に設けられた弾性バンドやウェストベルトなどがその調節作用によってズボンの適用性を大幅に上昇させている。さらには、例えば、ズボンの脚部にファスナーを設けた調節方式およびこの部分に設けられた弾性バンドの調節方式は、ズボンの脚部の位置で横方向の調節を実現して、ズボンの適応性をさらに増加させている。
【考案の概要】
【考案が解決しようとする課題】
【０００５】
本考案が解決しようとする技術的課題は、構造が簡単な縦型ベルトを提供することである。
【課題を解決するための手段】
【０００６】
上記技術的課題を解決するために、本考案は、ズボンの股部の上方の任意の位置に縦方向規制装置を設け、該縦方向規制装置は帯を含み、該帯の両端がそれぞれズボンの前側と後側に固定されている縦型ベルトを提供する。
【０００７】
本考案による縦型ベルトの改良として、前記前側の縦型ベルトの前記帯は左紐および右紐を含み、前記前側の縦型ベルトの前記帯の左紐および右紐の上端面がそれぞれズボンの前側のウエストラインに固定されている。前記後側の縦型ベルトの前記帯は左紐および右紐を含み、前記後側の縦型ベルトの前記帯の左紐および右紐の上端面がそれぞれズボンの後側のウエストラインに固定されている。前記前側の縦型ベルトの前記帯の左紐および右紐と、後側の縦型ベルトの前記帯の左紐および右紐とは、それぞれズボンの股部の下端位置で接続されている。
【０００８】
本考案による縦型ベルトのさらなる改良として、前記前側の縦型ベルトの前記帯は左紐および右紐を含み、前記前側の縦型ベルトの前記帯の左紐および右紐の上端面がそれぞれズボンの前側のウエストラインに固定されている。前記左紐と右紐との間に接続紐が設けられており、前記後側の縦型ベルトの前記帯はズボンのウエストラインの位置に固定されている。前記左紐および右紐と、後側の縦型ベルトの前記帯との間は、それぞれズボンの股部の下端位置で接続されている。
【０００９】
本考案による縦型ベルトのさらなる改良として、前記前側の縦型ベルトおよび後側の縦型ベルトの前記帯は、１本のファスナーである。前記前側の縦型ベルトの前記帯は、ズボンの前側のウエストラインに固定されている。前記後側の縦型ベルトの前記帯の左側ファスナーは、ズボンの後側右端のウエストラインに固定されている。前記後側の縦型ベルトの前記帯の右側ファスナーは、ズボンの後側左端のウエストラインに固定されている。
【００１０】
本考案による縦型ベルトのさらなる改良として、前記前側の縦型ベルトの前記帯は、ズボンの前側のウエストラインに固定されている。前記後側の縦型ベルトの前記帯は、ズボンの後側のウエストラインに固定されている。前記前側の縦型ベルトの前記帯と、後側の縦型ベルトの前記帯との間は、それぞれズボンの股部の下端位置で接続されている。前記前側の縦型ベルトの前記帯と、後側の縦型ベルトの前記帯との間は、接続機構によって接続されている。前記接続機構は、ボタン、マジックテープ（登録商標）、ファスナーを含む。
【００１１】
本考案による縦型ベルトのさらなる改良として、前記前側の縦型ベルトの前記帯は左紐および右紐に分けられ、前記左紐および右紐の上端面がそれぞれズボンの前側のウエストラインに固定されている。前記後側の縦型ベルトの前記帯はズボンの後側のウエストラインに固定されている。前記左紐および右紐と、後側の縦型ベルトの前記帯との間は、それぞれズボンの股部の下端位置で接続されている。
【００１２】
本考案による縦型ベルトのさらなる改良として、前記前側の縦型ベルトの前記帯はズボンの股部の位置に固定されており、前記後側の縦型ベルトの前記帯はズボンのウエストラインの位置に固定されている。前記前側の縦型ベルトの前記帯と、後側の縦型ベルトの前記帯との間は、ズボンの股部の下端位置で接続されている。
【００１３】
本考案の縦型ベルトは、縦方向調節装置である。装置とズボンの股部の位置は、股部に対して縦方向に調節することによって、ズボンを引き締めて、ズボンの快適性を考慮すると同時に、様々な調節機能を実現して、一般的なズボンの利用場面を大幅に増加させる。
【００１４】
さらには、該縦型ベルトがヒップアップ効果を有することにより、使用する際に、ズボンの脚部の後端位置を明らかに引き上げることができる。
【図面の簡単な説明】
【００１５】
以下に、図面を参照しながら本考案の具体的な実施態様をさらに詳しく説明する。
【００１６】
【図１】図１は、本考案の第一の構造模式図である。
【図２】図２は、図１の背面模式図である。
【図３】図３は、本考案の第二の構造模式図である。
【図４】図４は、図３の背面模式図である。
【図５】図５は、本考案の第三の構造模式図である。
【図６】図６は、図５の背面模式図である。
【図７】図７は、本考案の第四の構造模式図である。
【図８】図８は、図７の背面模式図である。
【図９】図９は、本考案の第五の構造模式図である。
【図１０】図１０は、図９の背面模式図である。
【図１１】図１１は、本考案の第六の構造模式図である。
【図１２】図１２は、図１１の背面模式図である。
【考案を実施するための形態】
【００１７】
実施例１
図１は、縦型ベルトを示している。
【００１８】
現在のズボンは、調節する際に一般的に横方向の調節が主であり、かつ多くの大量カスタムオーダーのズボンである。しかし、そのパターンを一人一人に対応させることはできない。また、ズボンの股部の位置の快適度は、ズボン着用の全体的な快適度にも直接影響を及ぼす。本考案が開示する縦型ベルトは、縦方向調整を実現する装置であり、縦方向を通じてズボンの股部の位置を調整して、量産されたズボンの全体的な快適性を向上させる。一方で、著しいヒップアップ効果を有し、ズボンの設計時のパターン設計工程を減少させて、パターンの生産コストを減少させる。
【００１９】
本考案の縦型ベルトは、ズボンの股部の上方の任意位置に縦方向規制装置が設けられる。該縦方向規制装置は帯を含み、該帯の両端がそれぞれズボンの前側と後側に固定されている。これは以下の幾つかの具体的な形態を有する。
【００２０】
図１および図２に示すように、前側の縦型ベルトは、左紐および右紐を含む。前側の縦型ベルトの左紐および右紐の上端面が、それぞれズボンの前側のウエストラインに固定されている。後側の縦型ベルトは、左紐および右紐を含む。後側の縦型ベルトの左紐および右紐の上端面が、それぞれズボンの後側のウエストラインに固定されている。前側の縦型ベルトの左紐および右紐と、後側の縦型ベルトの左紐および右紐とは、それぞれズボンの股部の下端位置で接続されている。
【００２１】
図３および図４に示すように、前側の縦型ベルトは、左紐および右紐を含む。前側の縦型ベルトの左紐および右紐の上端面が、それぞれズボンの前側のウエストラインに固定されている。左紐と右紐との間に接続紐が設けられている。後側の縦型ベルトは、ズボンのウエストラインの位置に固定されている。左紐および右紐と、後側の縦型ベルトとの間は、それぞれズボンの股部の下端位置で接続されている。
【００２２】
図５および図６に示すように、前側の縦型ベルトおよび後側の縦型ベルトは、１本のファスナーである。前側の縦型ベルトは、ズボンの前側のウエストラインに固定されている。後側の縦型ベルトの左側ファスナーは、ズボンの後側右端のウエストラインに固定されている。前記後側の縦型ベルトの右側ファスナーは、ズボンの後側左端のウエストラインに固定されている。
【００２３】
図７および図８に示すように、前側の縦型ベルトは、ズボンの前側のウエストラインに固定されている。後側の縦型ベルトは、ズボンの後側のウエストラインに固定されている。前側の縦型ベルトと、後側の縦型ベルトとの間は、それぞれズボンの股部の下端位置で接続されている。前側の縦型ベルトと、後側の縦型ベルトとの間は、接続機構によって接続されている。接続機構は、ボタン、マジックテープ、ファスナーを含む。
【００２４】
図９および図１０に示すように、前側の縦型ベルトは左紐および右紐に分けられ、左紐および右紐の上端面がそれぞれズボンの前側のウエストラインに固定されている。後側の縦型ベルトはズボンの後側のウエストラインに固定されている。左紐および右紐と、後側の縦型ベルトとの間は、それぞれズボンの股部の下端位置で接続されている。
【００２５】
図１１および図１２に示すように、前側の縦型ベルトは、ズボンの股部の位置に固定されている。後側の縦型ベルトは、ズボンのウエストラインの位置に固定されている。前側の縦型ベルトと、後側の縦型ベルトとの間は、ズボンの股部の下端位置で接続されている。
【００２６】
実際の使用過程において、本考案の縦型ベルトは、ズボンの股底部の位置の縦方向寸法を調節できる。一人一人の身体寸法が完全には一致しないことにより、ズボンの裁断時に各自の身長比率に基づいてそれに応じた寸法の裁断を行う必要がある。しかし、本考案による縦型ベルト装置を採用すれば、一人一人の実際の要求に基づいてそれに合わせた調整を行うことができ、これと横方向のベルトとを互いに連係させることで、ズボンの工業生産において同一寸法による裁断を行い、ズボンの生産過程におけるパターンコストの削減を実現することができる。
【００２７】
一方、縦型ベルトによる調節後、ズボンの脚部の後端位置が明らかに一段引き上げられる。ズボンの使用過程において、ズボンの脚部の後端位置の擦り切れは最も深刻なものであるが、本考案に係る方法によりズボンの脚部の後端位置の擦り切れを明らかに改善することができる。従来技術においては、Ｇ−ＳＴＡＲの３Ｄアーチ型フィットジーンズのように、布地の裁断により、装着後にズボンの後端位置を一段引き上げて、ズボンの後端位置の擦り切れ状況を減少させることができる。しかし、この３Ｄ裁断工程は、複雑であり、かつ多数の生地を綴じ合わせて完成する必要があり、製造コストが比較的高価である。しかし、本考案は、縦型のベルトのみによってこの機能を実現し、かつズボンの生産コストに如何なる影響も及ぼさない。
【００２８】
最後に、以上に挙げた例は、単に本考案の具体的な一実施例に過ぎないということに留意すべきである。本考案は、以上の実施例に限定されず、種々の変形が可能であることは明らかである。当業者が本考案に開示される内容から直接に導出または想到できる全ての変形は、いずれも本考案の保護範囲であると見なされるべきである。
【図１】
0003225007.tif 000003
【図２】
0003225007.tif 000004
【図３】
0003225007.tif 000005
【図４】
0003225007.tif 000006
【図５】
0003225007.tif 000007
【図６】
0003225007.tif 000008
【図７】
0003225007.tif 000009
【図８】
0003225007.tif 000010
【図９】
0003225007.tif 000011
【図１０】
0003225007.tif 000012
【図１１】
0003225007.tif 000013
【図１２】
0003225007.tif 000014
【手続補正書】
【提出日】令和1年11月29日(2019.11.29)
【手続補正１】
【補正対象書類名】実用新案登録請求の範囲
【補正対象項目名】請求項５
【補正方法】変更
【補正の内容】
【請求項５】
前記前側の縦型ベルトの前記帯は、前記ズボンの前記前側のウエストラインに固定されており、
前記後側の縦型ベルトの前記帯は、前記ズボンの前記後側のウエストラインに固定されており、
前記前側の縦型ベルトの前記帯と、前記後側の縦型ベルトの前記帯との間は、それぞれ前記ズボンの前記股部の下端位置で接続されており、
前記前側の縦型ベルトの前記帯と、前記後側の縦型ベルトの前記帯との間は、接続機構によって接続されており、
前記接続機構は、ボタン、面ファスナ、ファスナーを含むことを特徴とする請求項１に記載の縦型ベルト。
【手続補正２】
【補正対象書類名】明細書
【補正対象項目名】００１０
【補正方法】変更
【補正の内容】
【００１０】
本考案による縦型ベルトのさらなる改良として、前記前側の縦型ベルトの前記帯は、ズボンの前側のウエストラインに固定されている。前記後側の縦型ベルトの前記帯は、ズボンの後側のウエストラインに固定されている。前記前側の縦型ベルトの前記帯と、後側の縦型ベルトの前記帯との間は、それぞれズボンの股部の下端位置で接続されている。前記前側の縦型ベルトの前記帯と、後側の縦型ベルトの前記帯との間は、接続機構によって接続されている。前記接続機構は、ボタン、面ファスナ、ファスナーを含む。
【手続補正３】
【補正対象書類名】明細書
【補正対象項目名】００２３
【補正方法】変更
【補正の内容】
【００２３】
図７および図８に示すように、前側の縦型ベルトは、ズボンの前側のウエストラインに固定されている。後側の縦型ベルトは、ズボンの後側のウエストラインに固定されている。前側の縦型ベルトと、後側の縦型ベルトとの間は、それぞれズボンの股部の下端位置で接続されている。前側の縦型ベルトと、後側の縦型ベルトとの間は、接続機構によって接続されている。接続機構は、ボタン、面ファスナ、ファスナーを含む。